(57)【要約】      （修正有）【課題】カッターナイフ等の家庭用の裁断具で簡単加工することができるとともに、そのままの状態で化粧ボードとして使用することができて、装飾性に優れた化粧ボードを提供する。【解決手段】基材と、基材の一方の面に積層された化粧シートからなる化粧ボードにおいて、基材が３．０〜２０．０ｍｍの厚さの合成樹脂製発泡体かなり、化粧シートが裏打ち紙と、裏打ち紙の表面に積層された化粧層からなり、基材と化粧シートが接着層を介して積層されていることを特徴とする。【選択図】図１
0003110386.tif 000002
【実用新案登録請求の範囲】
【請求項１】
基材と、基材の一方の面に積層された化粧シートからなる化粧ボードにおいて、
基材が３．０〜２０．０ｍｍの厚さの合成樹脂製発泡体かなり、
化粧シートが裏打ち紙と、裏打ち紙の表面に積層された化粧層からなり、
基材と化粧シートが接着層を介して積層されていることを特徴とする化粧ボード。
【請求項２】
化粧ボードの裏面に反り防止用の紙が設けられていることを特徴とする請求項１記載の化粧ボード。
【請求項３】
化粧シートまたは/および反り防止用の紙がホルムアルデヒド吸着性能を有することを特徴とする請求項１または２記載の化粧ボード。
【請求項４】
化粧シートが光触媒機能を有することを特徴とする請求項１、２または３記載の化粧ボード。
【請求項５】
基材の発泡倍数が５〜２０倍であることを特徴とする請求項１、２、３または４記載の化粧ボード
【考案の詳細な説明】
【技術分野】
【０００１】
本考案は、家庭用の裁断用具によって容易に大きさや形状を加工でき、室内の壁面や、家具等の表面や背面に簡単に貼り付けることができて、装飾性を向上させるとともに、金属製の家具等においては、断熱性を向上させることができる化粧ボードに関するものである。
【背景技術】
【０００２】
壁面、床、天井、間仕切り等の建築用や、テーブル、食器棚等の家具分野、テレビ、ステレオ等の家電分野において、基材が合成樹脂、石膏ボード等の無機質剤や木材からなり、表面に化粧層を有する化粧板は一般的に多く使用されている。
これらの化粧板は、専門の技術者や機材を使用して加工され、それぞれの用途に使用されており、カッターナイフ等の家庭用の裁断具で簡単加工して、使用することが出来る物ではなかった。
また、合成樹脂発泡体からなる基材に、粘着層を設けて、写真やポスター等を貼り付けたりすることが可能なパネル等は広く使用されている。
さらに、合成樹脂発泡体からなる基材の表面に紙等を積層して、その面に文字等を印刷したり、書いたりすることが可能なパネル等も展示用や商店のＰＯＰ用として一般に使用されている。これらの合成樹脂発泡体からなるパネル等は、カッターナイフ等の家庭用の裁断具で簡単加工して、使用すること可能な物であるが、そのまま化粧ボードとして使用することができず、表面に装飾シートを貼る必要があり、貼る作業において空気を巻き込んだりして綺麗に貼ることが難しい物であり、室内の装飾に適した装飾シートを別途用意する必要もある。
【特許文献１】特開平１１−２２２９９８号公報
【特許文献２】特開平１１−３０５７０２号公報
【考案の開示】
【考案が解決しようとする課題】
【０００３】
解決しようとする問題点は、カッターナイフ等の家庭用の裁断具で簡単加工することができるとともに、そのままの状態で化粧ボードとして使用することができて、装飾性に優れた化粧ボードを提供することにある。
【課題を解決するための手段】
【０００４】
本考案は、基材と、基材の一方の面に積層された化粧シートからなる化粧ボードにおいて、基材が３．０〜２０．０ｍｍの厚さの合成樹脂製発泡体かなり、化粧シートが裏打ち紙と、裏打ち紙の表面に積層された化粧層からなり、基材と化粧シートが接着層を介して積層されていることを特徴とする。
【０００５】
本考案に使用される基材としては、ポリスチレン系樹脂、ポリエチレン系樹脂、ポリプロピレン系樹脂、ポリウレタン系樹脂等からなる合成樹脂製発泡体からなるシート状基材を使用することができる。このようなシート状合成樹脂製発泡体は、軽量であり、持ち運びが容易であると共に、カッターナイフ等の家庭用の裁断具で加工することが容易に行うことができる。さらに、基材自体が断熱性を有しているので、本考案の化粧ボードを金属製や木製等の家具や棚等の表面や裏面に貼ることで見た目の装飾性だけでなく、断熱性能を付与することができる。
【０００６】
本考案で使用される基材の大きさとしては如何なるものであってもよく、例えば100cm×２００ｃｍの大きさのものであっても、Ａ３版等のものであってもよい。基材の厚さとしては、３．０〜２０．０ｍｍ程度が好ましい。基材の厚さが３．０ｍｍ未満であると、基材自体に自立性がなく、破損しやすくなり、扱いにくいものとなってしまい、２０ｍｍを超えてしまうと、家具等に貼着して使用した場合に、厚みに対応した分大きく感じるために、圧迫感を感じてしまいこの好ましくなく、加工性の面でも加工しにくいものとなってしまい好ましくない。
【０００７】
基材としての合成樹脂発泡体としての発泡倍数は、厚みや合成樹脂等により適宜設定されるが、例えば５〜２０倍のものが好ましく使用することができる。５倍未満であると軽量性や加工性で問題となる可能性があり、２０倍を超えてしまうと強度面で運搬時や加工時、使用時に破損してしまう可能性もある。
【０００８】
本考案で使用される化粧シートとしては、少なくとも裏打ち紙と裏打ち紙の表面に設けられた化粧層からなるものである。
裏打ち紙とは、通常の壁紙等に使用されるものを使用することができ、材質としては和紙、合成紙、不織布等をからなるものであり、厚みとしては０．０１〜１．０ｍｍ程度のものを使用することが好ましい。
【０００９】
裏打ち紙の表面に設けられる化粧層は、合成樹脂やインクによって形成された意匠性を有する層である。合成樹脂やインクに発泡剤を添加しておき、裏打ち紙上に化粧層を形成した後に、加熱することで発泡剤を発泡させて凹凸意匠性を付与することもできる。また、裏打ち紙上に化粧層を形成した後に、メカニカルエンボスを施すことにより凹凸意匠性を付与してもよい。さらに、前記二つの方法を併用して凹凸意匠性を持たせたものであってもよい。化粧シートとして専用に作成されたものであってもよいし、既存の同様な構成で作成された壁紙等を使用してもよい。
【００１０】
この裏打ち紙無しに、基材表面に直接化粧層を設けることも可能であるが、裏打ち紙がないことで、化粧層が基材の変形対応できずに、ひび割れ等の発生する可能性があったり、化粧層に凹凸意匠性を付与するために、加熱発泡させたり、エンボス加工することで、基材に損傷をあたえる可能性があるのために、裏打ち紙を有する本考案のように化粧シートを使用する必要がある。
【００１１】
化粧シートと基材は、接着剤や粘着剤を使用して積層することで本考案の化粧ボードを得ることができる。化粧シートの裏面か基材の表面もしくは前記の両方の面に接着剤を粘着剤による接着層を設けて、ついで通常のラミネート方法によって積層一体化されるものである。使用される接着剤や粘着剤は、基材の合成樹脂や化粧シートの裏打ち紙の種類によって適宜選定される。接着剤や粘着剤の塗布面への塗布は、ロールコーター、スプレー等によって行われ、全面に塗布しても、部分的に塗布してもよく、使用時に化粧シートは剥がれないように積層一体化されていればよい。また、両面粘着テープ等を用いて積層一体化してもよい。
【００１２】
基材の材質によっては、表面に化粧シートが積層されるために、化粧ボードが反ってしまう場合もある。そのような場合は、化粧ボードの裏面に予め反り防止用の紙を貼っておくことによって化粧ボードの反りを防止することができる。この裏面に貼られる反り防止用の紙としては、化粧シートに使用される裏打ち紙と同様な素材のものが好ましく使用でき、化粧ボード裏面への積層は、化粧シートと同様な方法で積層される。
この積層される反り防止用の紙が、ホルムアルデヒド吸着剤が含浸または塗布されたものでもよい。これに本考案の化粧ボードをカラーボックス等の家具の裏面に貼り付けた場合、家具自体から放散されるホルムアルデヒドやアセトアルデヒド等のアルデヒド類を吸着し、室内空間への放散を防止することが可能となる。
【００１３】
本考案の化粧ボードにおいては、基材の化粧シートを積層一体化した面の反対の面に、予め粘着層を設けて、その粘着層に離形紙を積層しておいてもよい。反り防止用の紙が積層されている場合は、その表面に予め粘着層を設けて、その粘着層に離形紙を積層しておいてもよい。そのようにすることで、所望形状に加工後に離形紙を剥離して家具等の面に簡単に貼着することが可能となり、家具等の表面を装飾することができる。
もちろん、予め粘着層を設けておかなくとも、本考案の化粧ボードを所望形状に加工前後のいづれかの段階で、化粧ボードの裏面に両面粘着テープ等を貼って使用してもよい。
【考案の効果】
【００１４】
本考案の化粧ボードは、従来より使用されている石膏ボード等からなる化粧ボードに比較して、軽量であり、カッターナイフ等の家庭用の裁断具で簡単加工することができるとともに、そのままの状態で化粧ボードとして使用することができて、装飾性に優れた化粧ボードという利点がある。
【考案を実施するための最良の形態】
【００１５】
本考案の化粧ボードに使用される基材は、ポリスチレン系樹脂、ポリエチレン系樹脂、ポリプロピレン系樹脂、ポリウレタン系樹脂等からなる合成樹脂製発泡体からなるシート状基材を使用することができる。これらの合成樹脂製発泡体は、押出成形や型成形により予めシート状に厚さ３．０〜２０．０ｍｍ程度成形されたものを使用しても、ブロック状に成形されたものを厚さ３．０〜２０．０ｍｍ程度にスライスしてシート状に加工したものであってもよい。
ポリスチレン系樹脂、ポリエチレン系樹脂、ポリプロピレン系樹脂等からなる場合においては、ビーズ発泡の型成形によって得られるものより、押出成形よりなるものの方が、折り曲げ等に対する強度が強く、取り扱い時の破損等の虞がないので好ましい。
また、ポリウレタン系樹脂からなる場合には、化粧シートとの積層加工性や裁断加工性を考慮すると、軟質ポリウレタン発泡体よりも半硬質または硬質ポリウレタン発泡体であることが好ましい。
【００１６】
本考案の化粧ボードに使用される化粧シートは、少なくとも裏打ち紙と裏打ち紙の表面に設けられた化粧層からなるものである。化粧層は、合成樹脂やインク等からなる意匠性を有するものであり、発泡剤やケミカルエンボス等により凹凸の立体意匠性を有するものが好ましい。この化粧シートとして、通常使用されている壁紙等の装飾性を有する装飾シートを使用してもよい。
また、化粧層、裏打ち紙、反り防止用の紙に、ホルムアルデヒド吸着性能、防汚性能、光触媒性能を有する樹脂や無機物からなる添加剤等を添加または塗布して使用したものを使用してもよい。さらに、化粧層の上に前記のような機能を有するフィルム等を積層して使用してもよい。
このようなものを使用することで化粧ボードのいろいろな機能を付加することができる。
【００１７】
基材と化粧シートや反り防止用紙の積層は、例えば、基材の表面または／および化粧シートの裏面に、接着層を設け、その接着層を介して積層一体化されて、本考案の化粧ボードは作成される。
基材の表面または／および化粧シートの裏面への、接着層を設ける方法としては、グラビアコートやスプレイコート等の方法により、酢酸ビニル系、アクリル系、ウレタン系、ＳＢＲ系等の合成樹脂エマルジョンや合成樹脂溶液を全面または部分的に塗布して、基材の表面と化粧シートを接着一体化してもよいし、基材の表面または、化粧シートの裏面に両面粘着テープを貼着した後、両面を積層一体化して本考案の化粧ボードを得ることができる。
【００１８】
得られた本考案の化粧ボードを所望形状に、裁断加工した後に裏面に両面粘着テープ等の固定手段を設けても、裁断前に裏面に両面粘着テープ等の固定手段を設けた後に所望形状に裁断加工し、その後家具等の表面に化粧ボードを全面、または部分的に貼り付け、装飾加工を行う。これにより、例えばタンスなどを家具の裏面部分に本考案の化粧ボード全面に貼り付けることで、裏面を壁面に向けずに、部屋の中心部等において、裏面側も装飾性を有するので、部屋を仕切るパーテーションとして使用することができる。また、家具の表面部全体を被覆することで、家具の雰囲気を変えることも可能となる。単に装飾シートを貼るのと違い、基材が一体化されているためにシワ等の発生を気にすることなく、容易に貼着することが可能となる。
また、基材が合成樹脂発泡体であるために、特殊な裁断用具を必要とせず、家庭用のハサミやカッターを利用して、所望形状に裁断することが可能である。
【００１９】
（実施例１）
幅９１０ｍｍ、長さ１８２０ｍｍ、厚さ７ｍｍで発泡１５倍の押出発泡ポリスチレンボードを基材として使用し、一方の面にＳＢＲ系接着剤をスプレーによって全面塗布し、アキレス株式会社製の壁紙アートウオールを貼り付けて積層一体化して本考案の化粧ボードを作成した。この得られた化粧ボードを幅４５０ｍｍ、長さ７６０ｍｍの大きさにカッターナイフを用いて加工した。カッターナイフにより簡単に裁断加工することができた。
このえられた、化粧ボードの裏面の全体に両面粘着テープを貼着した。両面粘着テープの離形紙を剥離して、合板製のカラーボックス（４５０×７６０×３００）の裏面に化粧ボードを貼着し、カラーボックスの裏面を被覆した。これにより、カラーボックスの裏面は装飾性を有するものとなり、裏面を壁等に向ける必要がなく部屋の間仕切りとしておくことができた。
【００２０】
（比較例１）
実施例１の押出発泡ポリスチレンボードに変えて、同じ大きさの石膏ボードを使用して、化粧ボードを作成した。この化粧ボードをカッターナイフで裁断加工したが、容易に裁断することができなかった。裁断したものを同様にしてカラーボックスの裏面に貼着したが、脱落してしまい、裏面を被覆することができなかった。
【図面の簡単な説明】
【００２１】
【図１】化粧ボードの側面を示した説明図である。（実施例１）
【符号の説明】
【００２２】
１    化粧層
２    裏打紙
３    接着層
４    押出発泡ポリスチレンボード
【図１】
0003110386.tif 000003